(57)【特許請求の範囲】
【請求項１】
傾斜面に上下方向に所定間隔毎に、木毛チップをセメントで固めることによって形成された植生基材の水平敷設面を階段状に形成し、各水平敷設面に植生基材を敷設するとともに該植生基材内に種子を含有する客土を充填することを特徴とする傾斜面の緑化方法であって、上記木毛チップは木質材を厚さ１．５〜２ｍｍ、幅２０〜５０ｍｍ、長さ１００〜３００ｍｍにスライスしてなると共に、上記植生基材中におけるセメントの含有量が５０〜７０重量％であり、上記植生基材は、水平敷設面に敷設後に分解、消失するものであることを特徴とする傾斜面の緑化方法。
【請求項２】
上下方向に隣接する水平敷設面間の傾斜面部上に傾斜植生基材を敷設させるとともに、上記傾斜植生基材の上方に隣接する水平敷設面上に敷設した植生基材を該水平敷設面の前端から前方に向かって突出させて、この前方に突出させた上記植生基材の前端面下端角部に上記傾斜植生基材の上端面を当接させ、上記傾斜植生基材の上端部が傾斜面部から離脱するのを上記植生基材の前端部によって規制し、傾斜植生基材内に種子を含有する客土を充填することを特徴とする請求項１に記載の傾斜面の緑化方法。
【請求項３】
傾斜植生基材は、長さ方向に連続波形状に形成してなる波形板状片と平帯状板状片とを複数枚、交互に積層、接着することにより形成されてなり、波形板状片の各波形部と平帯状板状片とで囲まれた複数の空間部を上下方向に貫通する客土保持空間に形成してなることを特徴とする請求項２に記載の傾斜面の緑化方法。
【発明の詳細な説明】
【０００１】
【発明の属する技術分野】
本発明は、急斜面、緩斜面又は土壌が脆い傾斜面の何れの傾斜面であっても確実に緑化を図ることができる傾斜面の緑化方法に関する。
【０００２】
【従来の技術】
従来から河川の堤防の傾斜面や開発のために樹木が伐採された山の傾斜面を景観を向上させる目的で緑化することが行われている。そして、従来の緑化方法としては、緑化すべき傾斜面に添って植生基材を敷設、固定し、この植生基材内に種子を含有する客土を充填する方法が採られている。
【０００３】
しかしながら、上記傾斜面の緑化方法では、植生基材を傾斜面に敷設していることから、植生基材を杭等によって固定しているものの、植生基材自身の重量や雨風等によって植生基材が所定の敷設位置からずれてしまい、傾斜面を計画通りに緑化できないといった問題点があった。
【０００４】
加えて、植生基材を傾斜面に敷設することから、傾斜面の所望位置に植生基材を配設するのに手間が掛かり、植生基材の敷設作業に長時間を要するといった問題点もあった。
【０００５】
【発明が解決しようとする課題】
本発明は、植生基材を緑化したい傾斜面上に簡単に且つ正確に敷設することができるとともに、傾斜面上に敷設した植生基材が、その敷設後も所定位置に確実に敷設されて所望通りに傾斜面の緑化を行うことができる傾斜面の緑化方法を提供する。
【０００６】
【課題を解決するための手段】
請求項１に記載の傾斜面の緑化方法は、傾斜面に上下方向に所定間隔毎に、木毛チップをセメントで固めることによって形成された植生基材の水平敷設面を階段状に形成し、各水平敷設面に植生基材を敷設するとともに該植生基材内に種子を含有する客土を充填することを特徴とする傾斜面の緑化方法であって、上記木毛チップは木質材を厚さ１．５〜２ｍｍ、幅２０〜５０ｍｍ、長さ１００〜３００ｍｍにスライスしてなると共に、上記植生基材中におけるセメントの含有量が５０〜７０重量％であり、上記植生基材は、水平敷設面に敷設後に分解、消失するものであることを特徴とする。
【０００７】
請求項２に記載の傾斜面の緑化方法は、請求項１に記載の傾斜面の緑化方法において、上下方向に隣接する水平敷設面間の傾斜面部上に傾斜植生基材を敷設させるとともに、上記傾斜植生基材の上方に隣接する水平敷設面上に敷設した植生基材を該水平敷設面の前端から前方に向かって突出させて、この前方に突出させた上記植生基材の前端面下端角部に上記傾斜植生基材の上端面を当接させ、上記傾斜植生基材の上端部が傾斜面部から離脱するのを上記植生基材の前端部によって規制し、傾斜植生基材内に種子を含有する客土を充填することを特徴とする。
【０００８】
請求項３に記載の傾斜面の緑化方法は、請求項２に記載の傾斜面の緑化方法において、傾斜植生基材は、長さ方向に連続波形状に形成してなる波形板状片と平帯状板状片とを複数枚、交互に積層、接着することにより形成されてなり、波形板状片の各波形部と平帯状板状片とで囲まれた複数の空間部を上下方向に貫通する客土保持空間に形成してなることを特徴とする。
【０００９】
【作用】
本発明の傾斜面の緑化方法の実施要領について説明する。先ず、緑化したい傾斜面に上下方向に所定間隔毎に植生基材を敷設するための水平敷設面を階段状に形成する。
【００１０】
しかる後、上記階段状に形成した水平敷設面の夫々に植生基材を敷設するとともに、該植生基材の夫々に種子を含有する客土を充填する。なお、植生基材の水平面敷設面への固定は、該植生基材の任意の位置に固定用杭を貫通させるとともに該固定用杭の先端部を水平敷設面に突き刺すことにより行われ、上記植生基材の水平載置面上への固定は、該植生基材への客土の充填前後の何れの時であってもよい。そして、必要に応じて、上記植生基材に土を被せることにより植生基材の水平載置面上への敷設作業が完了する
【００１１】
このように、上記植生基材は傾斜面に階段状に形成された水平敷設面に敷設、固定されることから、上記植生基材の水平敷設面への敷設作業を安定した状態に円滑に行うことができる。
【００１２】
更に、上記植生基材は水平面に敷設されていることから、敷設後において自重や風雨の影響によってその敷設位置がずれたりするといった不測の事態は発生せず、よって、傾斜面の緑化計画を正確に且つ確実に遂行することができる。
【００１３】
【発明の実施の形態】
本発明の傾斜面の緑化方法の一例を図面を参照しつつ説明する。先ず、傾斜面の緑化方法に用いられる植生基材について説明する。この植生基材１は、図１に示したように、木毛チップ11をセメントで固めることによって下面が平坦面で且つ一定厚みを有する直方体形状に形成されている。
【００１４】
なお、上記植生基材１は、後述する水平載置面21上に敷設した後に崩壊し易いように、木質材を厚さ１．５〜２ｍｍ、幅２０〜５０ｍｍ、長さ１００〜３００ｍｍにスライスしてなる木毛チップ11から形成している。
【００１５】
又、植生基材１は、厚さ２５〜１５０ｍｍ、幅１００〜２５０ｍｍ、長さ３００〜１８００ｍｍの直方体形状に形成するのが好ましく、厚さ５０〜７５ｍｍ、幅１００〜１５０ｍｍ、長さ６００〜９００ｍｍの直方体形状に形成するのがより好ましい。
【００１６】
そして、上記の如くして形成された植生基材１には、図１に示したように、その上下面間に亘って貫通する客土充填孔12が上記植生基材１の長さ方向に所定間隔毎に一列に貫設されており、この客土充填孔12に種子を含有する客土が充填可能に構成されている。
【００１７】
なお、図１では上記客土充填孔12を上記植生基材の長さ方向に所定間隔毎に一列に形成した場合を説明したが、図２のように、上記客土充填孔12を上記植生基材の長さ方向に所定間隔毎に前後二列、或いは、それ以上に形成した場合であってもよい。
【００１８】
又、上記植生基材中におけるセメントの含有量は、多いと、水平敷設面に敷設後の植生基材１の分解、消失が妨げられ、又、少ないと、植生基材１の機械的強度が低下するので、５０〜７０重量％に限定される。
【００１９】
次に、傾斜面の緑化方法の実施要領について説明する。先ず、図３に示したように、緑化しようとする傾斜面２に上記植生基材１を敷設するための平面横長長方形状の水平敷設面21を上下方向に階段状に形成する。
【００２０】
上記水平敷設面21の前後幅は、上記植生基材１の前後幅に合致、或いはそれよりもやや広く形成されているとともに、上記水平敷設面21の左右幅も上記植生基材１の左右幅に合致、或いは、それよりもやや広く形成されている。
【００２１】
そして、上記の如くして形成された傾斜面２の水平敷設面21の夫々に上記植生基材１をその下面を水平敷設面21に当接させた状態に安定的に敷設する。しかる後、これら水平敷設面21に敷設した植生基材１の客土充填孔12の夫々に種子を含有する客土３を充填した後、複数本の固定用杭４を好ましくは上記植生基材１の客土充填孔12を通じてその先端部を上記水平敷設面21に突き刺して上記植生基材１を上記水平敷設面21上に安定した状態に敷設、固定する。なお、必要に応じて、上記植生基材１上に客土を被せて該植生基材１を全面的に客土で被覆した状態としてもよい。
【００２２】
このように上記植生基材１は水平敷設面21上に安定した状態で敷設されていることから、上記植生基材１はその敷設後において自重又は雨風によってその敷設位置がずれるといった不測の事態は発生せず、よって、上記植生基材１はその敷設状態を確実に維持し、当初の傾斜面の緑化計画を確実に遂行することができる。
【００２３】
しかも、上記植生基材１は、水平敷設面21上に敷設することからその敷設作業を円滑に且つ簡単に行うことができ、よって、上記植生基材１の敷設作業効率を向上させることができるばかりでなく、上記植生基材１を水平敷設面１上の正確な位置に確実に敷設させることができる。
【００２４】
又、上記傾斜面２が急斜面である場合や傾斜面２の土壌が脆く崩れ易い場合には、上記の如く、傾斜面２の水平敷設面21を上記植生基材１の平面形状に略合致した状態に形成すると傾斜面２が崩れてしまったり、或いは、特に、上記傾斜面２が急斜面である場合には、作業上、上記植生基材１の平面形状に合致した平面形状を有する水平敷設面21を形成することが困難であったり、仮に上記植生基材１の平面形状に合致した平面形状を有する水平敷設面21を形成することができたとしても、上下方向に隣接する水平敷設面21間の傾斜面部が垂直に近い面部となってしまい緑化が困難となったり、或いは、上下方向に隣接する水平敷設面21、21間の距離が大きくなり水平敷設面21、21間の傾斜面部22の緑化が困難となったりすることがある。このような場合には、図４に示したように、上記傾斜面２上に上記植生基材１の前半部をその左右幅の全長に亘って載置可能な水平敷設面21を形成するとともに、この水平敷設面21に連続した植生基材挿入穴23を後方に向かって水平方向に凹設する。
【００２５】
そして、上記植生基材１の後半部を上記植生基材挿入穴23内に埋入するとともに、その前半部を上記水平敷設面21上に敷設することによって上記植生基材１を上記傾斜面２の水平敷設面21上に安定した状態に敷設するようにしてもよい。
【００２６】
上記では、上記植生基材１を上下方向に所定間隔毎に敷設し、上下方向に隣接する水平敷設面21、21間の傾斜面部22には何ら植生基材１を敷設していないが、上記植生基材１の客土充填孔12内に充填した客土３に含有された種子から成長した草の種は上記傾斜面部22上にも飛散し、この傾斜面部22上に飛散した種からも草が植生するので傾斜面２を全面的に緑化する上においては何ら問題はない。
【００２７】
しかしながら、上記のように、上下方向に隣接する水平敷設面21間の傾斜面部22の緑化をその上下方向に隣接する植生基材１から成長した草の種の飛散に頼っていることからその緑化に若干長期間を要する。従って、上下方向に隣接する水平敷設面21、21間の傾斜面部22の緑化をできるだけ短期間のうちに完了したい場合には、上記傾斜面部22上にも傾斜植生基材５を敷設し、この傾斜面部22にも積極的に種子を含有する客土を敷設するのが好ましい。
【００２８】
即ち、上記傾斜植生基材５は、図５に示したように、長さ方向に連続波形状に形成してなる一定幅と一定長さを有する波形板状片51とこの波形板状片51と同一幅、同一長さを有する平帯状板状片52とを複数枚、幅方向を前後方向に向けた状態にして交互に積層、接着することにより薄い直方体形状に形成されてなり、波形板状片51の各波形部と平板状板状片52とで囲まれた複数の空間部を上下方向に貫通する客土保持空間53に形成してなる。
【００２９】
そして、この傾斜植生基材５をその上端を上方の水平敷設面21上に敷設している植生基材１の前端面に当接させるとともにその下端を下方の水平敷設面21上に敷設している植生基材１の上面における後端縁部に当接させて、上下の植生基材１、１によって上下方向の変位を規制させた状態にして上下方向に隣接する水平敷設面21、21間の傾斜面部22上に敷設した上で、上記傾斜植生基材５の客土保持空間53内に種子を含有する客土を充填する。しかる後、上記傾斜植生基材５にその客土保持空間53を通じて固定用杭４を貫通させて、該固定用杭４の先端部を傾斜面部22に突き刺すことにより上記傾斜植生基材５を傾斜面部22上に敷設、固定させるようにしてもよい（図６参照）。
【００３０】
なお、図６では植生基材挿入穴23を凹設していない場合を示したが、植生基材挿入穴23を凹設して、該植生基材挿入穴23内に植生基材１の後半部を埋入させてもよい。
【００３１】
又、図７に示したように、上記傾斜植生基材５の上方に隣接する水平敷設面21上に敷設した植生基材１を該水平敷設面21の前端から所定前後幅だけ前方に向かって突出させて、この前方に突出させた上記植生基材１の前端面下端角部に上記傾斜植生基材５の上端面を当接させれば、上記傾斜植生基材５の上端部が傾斜面部22から離脱するのを上記植生基材１の前端部によって規制することができ、よって、上記傾斜植生基材５を傾斜面部22上に安定した状態に確実に敷設させることができ好適である。なお、図７では、植生基材挿入穴23を凹設して、該植生基材挿入穴23内に植生基材１の後半部を埋入させた場合を示したが、植生基材挿入穴23を凹設することなく水平敷設面21上に植生基材１の全てを敷設させてもよい。
【００３２】
更に、上記水平敷設面21に植生基材１を敷設するとともに、上記傾斜面２の傾斜面部22に傾斜植生基材５を敷設した場合を説明したが、上記水平敷設面21に傾斜植生基材５を敷設するとともに、上記傾斜面２の傾斜面部22に植生基材１を敷設してもよく、或いは、上記水平敷設面21及び上記傾斜面２の傾斜面部22の両方に植生基材１又は傾斜植生基材５の何れか一方のみを敷設した場合であってもよい。
【００３３】
最後に、緑化しようとする傾斜面に急勾配な部分と緩勾配な部分とが有る場合には、急勾配な部分には植生基材挿入穴23を凹設する一方、緩勾配な部分には植生基材挿入穴23を設けることなく水平敷設面21だけを設けるようにして、傾斜面の勾配によって植生基材挿入穴23を必要に応じて凹設するようにしてもよい。
【００３４】
【発明の効果】
本発明の傾斜面の緑化方法は、傾斜面に上下方向に所定間隔毎に、木毛チップをセメントで固めることによって形成された植生基材の水平敷設面を階段状に形成し、各水平敷設面に植生基材を敷設するとともに該植生基材内に種子を含有する客土を充填することを特徴とする傾斜面の緑化方法であって、上記木毛チップは木質材を厚さ１．５〜２ｍｍ、幅２０〜５０ｍｍ、長さ１００〜３００ｍｍにスライスしてなると共に、上記植生基材中におけるセメントの含有量が５０〜７０重量％であり、上記植生基材は、水平敷設面に敷設後に分解、消失するものであることを特徴とするので、植生基材を水平敷設面に安定した状態に簡単に且つ確実に敷設することができるとともに、水平敷設面上に敷設された植生基材は水平面上にあることから自重や雨風によってその敷設位置がずれたりするといった不測の事態は発生せず、よって、傾斜面の緑化を確実にしかも正確に行うことができる。
【００３５】
又、傾斜面に水平敷設面に連続した植生基材挿入穴を水平方向に凹設し、この植生基材配設穴に植生基材をその一部を埋入させた状態に敷設している場合は、植生基材は、その後半部が植生基材配設穴に安定した状態に埋入、支持されており、上記水平敷設面上における敷設状態を安定した状態に確実に維持し、よって、傾斜面の緑化を円滑に且つ確実に行なうことができる。
【００３６】
しかも、緑化しようとする傾斜面が急斜面である場合には、植生基材が全面的に載置可能な水平敷設面を傾斜面に形成しようとすると、上下方向に隣接する水平敷設面間の距離が大きくなりすぎてしまったり、或いは、上下方向に隣接する水平敷設面間の傾斜面部が垂直面に近い状態となってしまい、傾斜面の全面的な緑化が行なえなくなったり、傾斜面の緑化を効率良く行なうことができなくなったりすることがあるが、上記の如く、水平敷設面の前後幅を最小限としてこの水平敷設面に連続する植生基材配設穴を水平方向に凹設してこの植生基材配設穴に植生基材の後半部を埋入させることにより、上下方向に隣接する植生基材間の距離を狭くすることができ、よって、急斜面の全面的な緑化を確実なものとすることができる。
【００３７】
又、緑化しようとする土壌が崩れ易い場合には、水平敷設面の前後幅を最小限とすることによって土壌の崩落を防止しつつ、植生基材の後半部を植生基材配設穴に埋入させることによって、植生基材を上下方向に所定間隔毎に傾斜面上に配設させることができ、よって、このような崩れ易い土壌からなる傾斜面であっても円滑に且つ確実に緑化を図ることができる。
【００３８】
更に、請求項２に記載の傾斜面の緑化方法は、請求項１に記載の傾斜面の緑化方法において、上下方向に隣接する水平敷設面間の傾斜面部上に傾斜植生基材を敷設させるとともに、上記傾斜植生基材の上方に隣接する水平敷設面上に敷設した植生基材を該水平敷設面の前端から前方に向かって突出させて、この前方に突出させた上記植生基材の前端面下端角部に上記傾斜植生基材の上端面を当接させ、上記傾斜植生基材の上端部が傾斜面部から離脱するのを上記植生基材の前端部によって規制し、傾斜植生基材内に種子を含有する客土を充填することを特徴とするので、傾斜面の全面に種子を含有する客土を配することができ、よって、傾斜面の緑化を早期にしかも確実に行なうことができる。
【００３９】
最後に、上下方向に隣接する水平敷設面間の傾斜面部上に傾斜植生基材をその上下端の夫々を上記水平敷設面上に配設された植生基材に当接させた状態で敷設させる場合は、傾斜面部上に敷設した傾斜植生基材を該傾斜植生基材の上下方向に隣接する植生基材によって規制して、該傾斜植生基材が傾斜面部上において上下方向に変位するのを規制しており、よって、傾斜植生基材をその敷設位置がずれたりすることなく安定した状態に確実に敷設させて、傾斜面部の緑化を確実なものとすることができる。
【図面の簡単な説明】
【図１】植生基材を示した斜視図である。
【図２】植生基材の他の一例を示した斜視図である。
【図３】植生基材を水平載置面上に敷設した状態を示した縦断面図である。
【図４】植生基材を水平載置面上に敷設した状態を示した縦断面図である。
【図５】傾斜植生基材の一部を示した斜視図である。
【図６】植生基材を水平載置面上に敷設した状態を示した縦断面図である。
【図７】植生基材を水平載置面上に敷設した状態を示した縦断面図である。
【符号の説明】
１  植生基材
11  木毛チップ
12  客土充填孔
２  斜面
21  水平載置面
22  傾斜面部
３  客土
４  固定用杭
５  傾斜植生基材
【図１】
0003571589.tif 000002
【図２】
0003571589.tif 000003
【図３】
0003571589.tif 000004
【図４】
0003571589.tif 000005
【図５】
0003571589.tif 000006
【図６】
0003571589.tif 000007
【図７】
0003571589.tif 000008